(57)【要約】【課題】水の供給量が少なくても、吐出口から膜形状の水を吐出することができる。肩湯ノズル及び肩湯システムを提供すること。【解決手段】水を供給する給水流路（８０）と、水を膜形状に吐出する吐出口（８２）と、給水流路（８０）と吐出口（８２）に接続する吐出流路（８１）とを備え、吐出流路（８１）の流路幅（Ｗ）が給水流路（８０）側から吐出口（８２）側に近づくにつれて広げられている肩湯ノズル（８）に、給水流路（８０）が吐出流路（８１）に開口する給水口（８０１）の一部を閉鎖する閉鎖部（８１５）を設ける。【選択図】図４
2019111265.tif 000002
【特許請求の範囲】
【請求項１】
水を供給する給水流路と、水を膜形状に吐出する吐出口と、前記給水流路と前記吐出口に接続する吐出流路とを備え、前記吐出流路の流路幅が給水流路側から吐出口側に近づくにつれて広げられている肩湯ノズルにおいて、
前記給水流路が前記吐出流路に開口する給水口の一部を閉鎖する閉鎖部を有すること
を特徴とする肩湯ノズル。
【請求項２】
請求項１に記載する肩湯ノズルにおいて、
前記閉鎖部は、前記給水口の前記吐出口と反対側に位置する部分を閉鎖し、前記給水口の開口面積を前記給水流路の流路断面積の半分にしていること、
を特徴とする肩湯ノズル。
【請求項３】
請求項１又は請求項２に記載する肩湯ノズルにおいて、
前記閉鎖部は、前記給水口の前記吐出口と反対側に位置する部分を閉鎖していること、
前記吐出流路は、前記給水口と対向するように流路上面が設けられており、前記給水口の開口面を通る仮想線に対して前記流路上面が傾斜することにより、前記仮想線と前記流路上面との間の間隔が給水口側から吐出口側へ向かって大きくなっていること、
を特徴とする肩湯ノズル。
【請求項４】
請求項３に記載する肩湯ノズルにおいて、
前記仮想線と前記流路上面の吐出口側の間隔が、前記仮想線と前記流路上面の給水口側の間隔に対して、５倍以上１０倍以下であること、
を特徴とする肩湯ノズル。
【請求項５】
請求項１乃至請求項４の何れか１つに記載する肩湯ノズルと、
浴槽の水を循環させる循環回路と、
前記循環回路に配設されたポンプと、
前記ポンプと前記浴槽とを接続する第１状態と、前記ポンプと前記肩湯ノズルとを接続する第２状態とを切り換える切換手段と、
前記切換手段を制御する制御手段とを有すること、
を特徴とする肩湯システム。
【発明の詳細な説明】
【技術分野】
【０００１】
本発明は、吐出口から湯を膜状に吐出する肩湯ノズル及び肩湯システムに関する。
【背景技術】
【０００２】
従来、吐出口から湯を膜状に吐出する肩湯ノズルは、例えば、特許文献１に記載されている。特許文献１記載の肩湯ノズルは、ポンプから圧送された浴槽の湯が流入口を介して貯留室に流入し、貯留室内に一時的に貯められる。貯留室内に湯が貯められた状態で流入口から湯を送り込まれることにより、貯留室内の湯が加圧され、その水圧により絞り流路を通して湯が吐出口に送り出される。湯は、絞り流路を通る際に流速を高められると共に、貯留室側から吐出口側に向かって広がるように流れ、吐出口から勢いよく膜状に吐出される。
【先行技術文献】
【特許文献】
【０００３】
【特許文献１】特開２０１５−２２６６２８号公報
【発明の概要】
【発明が解決しようとする課題】
【０００４】
しかしながら、上記従来技術には、以下の問題があった。すなわち、特許文献１に記載の肩湯ノズルは、貯留室内の湯を加圧して吐出口から湯を膜形状に吐出させるために、例えば、３０Ｌ／分の大流量で湯を貯留室に供給する必要があった。一般的な追い焚きポンプの吐出流量は、１０Ｌ／分〜１２Ｌ／分程度である。そのため、特許文献１に記載の肩湯ノズルを設置するには、一般的な追い焚きポンプより吐出能力が高い専用ポンプを、追い焚きポンプと別に設置する大がかりな工事が必要であった。よって、肩湯を手軽に愉しむために、一般的の追い焚きポンプにより制御可能な流量で、膜形状の湯を吐出できる肩湯ノズルが、求められている。
【０００５】
本発明は、上記問題点を解決するためになされたものであり、水の供給量が少なくても、吐出口から膜形状の水を吐出できる肩湯ノズル及び肩湯システムを提供することを目的とする。
【課題を解決するための手段】
【０００６】
上記課題を解決するために、本発明の一態様は、（１）水を供給する給水流路と、水を膜形状に吐出する吐出口と、前記給水流路と前記吐出口に接続する吐出流路とを備え、前記吐出流路の流路幅が給水流路側から吐出口側に近づくにつれて広げられている肩湯ノズルにおいて、前記給水流路が前記吐出流路に開口する給水口の一部を閉鎖する閉鎖部を有することを特徴とする。
【０００７】
上記構成の肩湯ノズルでは、給水流路の水が給水口を通過する際に流量を絞られて流速を高められる。このように水の流速を吐出流路に流入する直前で高めるので、給水流路に供給された水が少ない場合でも、水が、吐出流路に流入する際の勢いで吐出流路全体に広がりながら吐出口へ向かって流れ易く、吐出口から膜形状に吐出されるようになる。よって、上記構成の肩湯ノズルによれば、水の供給量が少なくても、吐出口から膜形状の水を吐出することができる。
【０００８】
（２）（１）に記載の肩湯ノズルにおいて、前記閉鎖部は、前記給水口の前記吐出口と反対側に位置する部分を閉鎖し、前記給水口の開口面積を前記給水流路の流路断面積の半分にしていること、を特徴とする。
【０００９】
上記構成の肩湯ノズルは、給水口の閉鎖部側の領域における流速が、給水口の吐出口側の領域における流速より速く、給水口の閉鎖部側の領域と給水口の吐出口側の領域との間の流速差が大きいので、給水口から供給される水が吐出流路全体に均一に広がって流れ、吐出口から膜形状に吐出される。よって、上記構成の肩湯ノズルによれば、水の供給量が少なくても、吐出口から膜形状の水を吐出することができる。
【００１０】
（３）（１）又は（２）に記載する肩湯ノズルにおいて、前記閉鎖部は、前記給水口の前記吐出口と反対側に位置する部分を閉鎖していること、前記吐出流路は、前記給水口と対向するように流路上面が設けられており、前記給水口の開口面を通る仮想線に対して前記流路上面が傾斜することにより、前記仮想線と前記流路上面との間の間隔が給水口側から吐出口側へ向かって大きくなっていること、を特徴とする。
【００１１】
上記構成の肩湯ノズルは、水が、給水口から斜め上方に向かって吐出流路内に流出し、流路上面に当たる。吐出流路は、給水口の開口面を通る仮想線と流路上面との間の間隔が給水口側から吐出口側へ向かって大きくなっているので、流路上面に当たった水が、給水口から流出したときの勢いを保って流路上面に沿って流れ、吐出口の流路上面に接続する上端部から膜形状に吐出される。このように、上記構成の肩湯ノズルは、流路上面に当たった水が、殆ど垂れることなく吐出口に到達して吐出口から吐出されるので、水の供給量が少なくても、吐出口から膜形状の水を吐出できる。
【００１２】
（４）（３）に記載する肩湯ノズルにおいて、前記仮想線と前記流路上面の吐出口側の間隔が、前記仮想線と前記流路上面の給水口側の間隔に対して、５倍以上１０倍以下であること、を特徴とする。
【００１３】
上記構成の肩湯ノズルは、仮想線と流路上面の吐出口側の間隔を、仮想線と流路上面の給水口側の間隔に対して５倍以上１０倍以下で設定することにより、給水口から吐出された水が流路上面に当たってぬれるように広がった後、吐出口に向かって流れる。よって、上記構成の肩湯ノズルによれば、水の供給量が少なくても、吐出口から膜形状の水を吐出することができる。
【００１４】
（５）（１）乃至（４）の何れか１つに記載する肩湯ノズルと、浴槽の水を循環させる循環回路と、前記循環回路に配設されたポンプと、前記ポンプと前記浴槽とを接続する第１状態と、前記ポンプと前記肩湯ノズルとを接続する第２状態とを切り換える切換手段と、前記切換手段を制御する制御手段とを有すること、を特徴とする肩湯システムである。
【００１５】
上記構成の肩湯システムは、制御手段が切換手段を第１状態にした場合には、ポンプの動作により、浴槽の湯が循環回路を循環する。一方、制御手段が切換手段を第２状態にした場合には、ポンプの動作により、浴槽の湯が肩湯ノズルから膜形状に吐出される。ポンプの吐出流量が、例えば８Ｌ／分以上１６Ｌ／分以下と少ない場合でも、肩湯ノズルは、膜形状の湯を吐出することができる。よって、上記肩湯システムは、既存のポンプを利用して浴槽の湯を肩湯ノズルに供給し、肩湯ノズルから膜形状の湯を吐出することができるので、既存のポンプと別に専用ポンプを設置する必要がなく、安価に肩湯システムを提供することができる。
【発明の効果】
【００１６】
本発明によれば、水の供給量が少なくても、吐出口から湯を膜形状に吐出できる肩湯ノズル及び肩湯システムを実現することができる。
【図面の簡単な説明】
【００１７】
【図１】本発明の実施形態に係る肩湯システムの概略構成図である。
【図２】肩湯ノズルの使用例を示す図である。
【図３】肩湯ノズルの外観斜視図である。
【図４】図３のＡＡ断面図である。
【図５】図４のＢＢ断面図である。
【図６】実施例の流速分布を説明する図である。
【図７】比較例１の流速分布を説明する図である。
【図８】比較例２の流速分布を説明する図である。
【図９】実施例の流体の流れを説明する概念図である。
【図１０】比較例３の流体の流れを説明する概念図である。
【図１１】比較例４の流体の流れを説明する概念図である。
【図１２】肩湯ノズルの第１変形例を示す図である。
【図１３】肩湯ノズルの第２変形例を示す図である。
【図１４】肩湯ノズルの第３変形例を示す図である。
【発明を実施するための形態】
【００１８】
以下に、本発明に係る肩湯ノズル及び肩湯システムの実施形態について図面に基づいて説明する。
【００１９】
図１は、本発明の実施形態に係る肩湯システム１の概略構成図である。図２は、肩湯システム１は、肩湯ノズル８が、浴槽２と給湯器４との間で風呂水Ｘを循環させる循環回路１９に接続配管９を介して接続されている。図２に示すように、肩湯ノズル８は、マグネット８５を介して、浴室の壁面に任意の高さで取り付けられる。肩湯ノズル８は、浴槽２の風呂水Ｘを循環回路１９から供給され、浴槽２内へ向かって膜形状の湯（以下「肩湯」ともいう）Ｙを吐出口８２から吐出する。
【００２０】
図１に示すように、循環回路１９は、浴槽２に設けられた循環口３が、復路配管５と往路配管６を介して給湯器４に接続され、給湯器４に内設されたポンプ２０の動作により、風呂水Ｘを浴槽２と給湯器４との間で循環させる。このとき、給湯器４は、バーナ４ａを駆動することにより、風呂水Ｘを追い焚きすることができる。
【００２１】
ここで、ポンプ２０は、バーナ４ａが風呂水Ｘを加熱できる流量で風呂水Ｘを循環回路１９に循環させる吐出能力を有する。そのため、ポンプ２０は、一般的に、吐出流量が８Ｌ／分以上１６Ｌ／分以下のものが選定される。
【００２２】
往路配管６には、三方弁７が配設されている。三方弁７は、第１ポート７ａが給湯器４に導通し、第２ポート７ｂが循環口３に導通し、第３ポート７ｃが肩湯ノズル８に導通している。三方弁７は、切換手段の一例である。三方弁７が第１ポート７ａと第２ポート７ｂを連通させる動作状態は、第１状態の一例である。三方弁７が第１ポート７ａと第３ポート７ｃを連通させる動作状態は、第２状態の一例である。
【００２３】
肩湯システム１は、制御手段１８を備える。制御手段１８は、周知のマイクロコンピュータで構成されている。制御手段１８は、給湯器４の動作を設定する台所リモコン１５が電気的に接続されている。台所リモコン１５は、通信線１７を介してふろリモコン１６に接続している。台所リモコン１５は、ふろリモコン１６の設定が自動的に自機に反映されるようになっている。台所リモコン１５とふろリモコン１６は、給湯器４の各種設定を行うボタンを備える。このボタンは、オンオフ式のアナログスイッチでも、液晶タッチパネルに表示されるデジタルスイッチでも良い。本実施形態では、台所リモコン１５はキッチンに設置され、ふろリモコン１６は浴室に設置される。
【００２４】
制御手段１８は、三方弁７とバーナ４ａとポンプ２０に電気的に接続されている。制御手段１８は、ふろリモコン１６から台所リモコン１５を介して肩湯モードの実行指令を受け付けると、記憶領域に記憶された肩湯制御プログラムを起動して三方弁７とポンプ２０の動作を制御する。つまり、制御手段１８は、第１ポート７ａを第３ポート７ｃに連通させ、第２ポート７ｂを遮断するように三方弁７の動作を制御し、ポンプ２０を駆動させることにより、浴槽２の風呂水Ｘを肩湯ノズル８に供給し、肩湯ノズル８から肩湯Ｙを吐出させる。このとき、制御手段１８は、給湯器４のバーナ４ａを駆動させ、風呂水Ｘを給湯器４で所定の設定温度に加熱してから肩湯ノズル８に供給するようにしても良い。
【００２５】
一方、制御手段１８は、ふろリモコン１６から台所リモコン１５を介して追い焚きモードの実行指令を受け付けると、記憶領域に記憶された追い焚きプログラムを起動して三方弁７とバーナ４ａとポンプ２０の動作を制御する。つまり、制御手段１８は、第１ポート７ａを第２ポート７ｂに連通させ、第３ポート７ｃを遮断するように三方弁７の動作を制御し、バーナ４ａとポンプ２０を駆動させることにより、給湯器４で加熱された風呂水Ｘを浴槽２に供給する。
【００２６】
続いて、肩湯ノズル８の構成を説明する。図３は、肩湯ノズル８の外観斜視図である。図４は、図３のＡＡ断面図である。図５は、図４のＢＢ断面図である。
【００２７】
図３に示すように、肩湯ノズル８は、面積の広い上面８ａ及び下面８ｂと、上面８ａと下面８ｂに接続する４つの側面８ｃ，８ｄ，８ｅ，８ｆを備えるブロック形状をなす。下面８ｂには、接続配管９に接続される接続部８ｇが突設されている。
【００２８】
図４及び図５に示すように、肩湯ノズル８は、給水流路８０と吐出流路８１を有する。給水流路８０は、接続部８ｇ内に設けられている。給水流路８０は、吐出流路８１の流路下面８１３に開口して、給水口８０１を形成している。
【００２９】
図４及び図５に示すように、吐出流路８１は、肩湯ノズル８の４つの側面８ｃ〜８ｆのうち、横長の前側面８ｃから背側面８ｅに向かって袋形状に設けられ、前側面８ｃに断面偏平形状（スリット形状）の吐出口８２を形成している。吐出流路８１は、吐出口８２と、吐出口８２と反対側に位置する奥面８１４と、流路幅方向（図４の左右方向）の両端に設けられた一対の内側面８１１，８１１と、給水口８０１が開口する流路下面８１３と、給水口８０１及び流路下面８１３と対向するように設けられた流路上面８１２を備える。吐出流路８１は、一対の内側面８１１と流路上面８１２と流路下面８１３がそれぞれ平坦な面により構成され、流路幅方向（図４の左右方向）と平行に切ったときの断面形状が流路幅方向に細長い矩形状になっている。
【００３０】
図４に示すように、吐出流路８１は、奥面８１４の流路幅方向（図中左右方向）の中心位置に給水口８０１が１個開口している。吐出流路８１は、給水口８０１を挟んで左右対称形状に設けられている。吐出流路８１は、一対の内側面８１１の間の流路幅Ｗが給水口８０１側から吐出口８２側に近づくにつれて広がるように、一対の内側面８１１，８１１が傾斜して設けられている。よって、給水口８０１から吐出流路８１に流入した水は、流路幅方向に均一に広がりながら、吐出口８２へ向かって流れる。
【００３１】
図４及び図５に示すように、給水流路８０は、吐出流路８１に開口する給水口８０１の一部が閉鎖部８１５により閉鎖されている。具体的に、肩湯ノズル８は、吐出流路８１の奥面８１４が、吐出口８２に対して平行な面で、且つ、給水口８０１の中心を通るように設けられ、給水口８０１の吐出口８２と反対側の半分を閉鎖する閉鎖部８１５を形成されている。そのため、給水流路８０は、軸線方向に対して直交する方向に切ったときの流路断面形状が丸形状であるのに対し、給水口８０１は、半円形状になっている。よって、給水口８０１の開口面積は、給水流路８０の流路面積の半分にされている。これにより、給水流路８０から供給される水は、給水口８０１を通過する際に流量を絞られて流速を高めてから、吐出流路８１に供給される。
【００３２】
図５に示すように、吐出流路８１の流路上面８１２は、給水口８０１の開口面を通る仮想線Ｌ１（流路下面８１３）との間の間隔が、給水口８０１側から吐出口８２側へ向かって大きくなるように、傾斜している。そのため、吐出流路８１は、流路上面８１２と仮想線Ｌ１（流路下面８１３）との間の吐出口８２側の間隔Ｍ２が、流路上面８１２と仮想線Ｌ１（流路下面８１３）との間の給水口８０１側（奥面８１４側）の間隔Ｍ１より大きくされている。間隔Ｍ２は、間隔Ｍ１の５倍以上１０倍以下の値に設定されている。
【００３３】
続いて、給水口８０１の開口面積と吐出口８２から吐出される水の形状との関係について説明する。発明者は、給水口８０１が給水流路８０と同じ面積で吐出流路８１に開口する肩湯ノズル（給水口８０１の一部を閉鎖しない肩湯ノズル）に、水を８Ｌ／分以上１２Ｌ／分以下で供給しても、吐出口８２から膜形状の水を吐出できないことに気付いた。この原因は、８Ｌ／分以上１２Ｌ／分以下の水の供給量では、吐出口８２から水を膜形状に吐出するのに必要な流速を得られないことにあると考えられる。
【００３４】
発明者は、給湯システムで一般的に使用されるポンプ２０の吐出能力でも、吐出口から膜形状の水を吐出させることができる肩湯ノズルを実現するために、肩湯ノズルの流路構成を検討した。
【００３５】
発明者は、給水口８０１の開口面積を変えて試験を行った。図６は、実施例の流速分布を説明する図である。図７は、比較例１の流速分布を説明する図である。図８は、比較例２の流速分布を説明する図である。図６〜図８に記載する矢印は、流速を示し、矢印が長いほど流速が速いことを示す。
【００３６】
実施例と比較例１と比較例２は、給水口８０１を閉鎖する割合（給水口８０１の開口面積）を除き、同様に構成されている。図６に示す実施例は、本形態の肩湯ノズル８に対応しており、閉鎖部８１５が給水口８０１を半分閉鎖している。図７に示す比較例１は、閉鎖部８１５ｘが給水口８０１ｘを半分より少ない領域で閉鎖している。図８に示す比較例２は、閉鎖部８１５ｙが給水口８０１ｙを半分より多い領域で閉鎖している。
【００３７】
試験では、実施例と比較例１と比較例２に水を同流量で供給し、吐出口８２から吐出される水の形状を確認した。その結果、実施例は、吐出口８２全体から水を膜形状に吐出できたが、比較例１及び比較例２は、吐出口８２全体から水を膜形状に吐出することができなかった。つまり、水の供給量が８Ｌ／分以上１２Ｌ／分以下の場合、給水口８０１の開口面積を給水流路８０の流路断面積の概ね半分にして、流量を半分程度に絞るのが適切であることが分かった。
【００３８】
この原因を発明者は次のように考えた。図６に示す実施例は、給水流路８０に供給された水が給水口８０１により流量を絞られ、流速を加速させる。給水口８０１の吐出口８２と反対側（奥面８１４側）の領域Ｐ１と、給水口８０１の吐出口８２側の領域Ｐ２が適度に離れている。そのため、領域Ｐ１を通過する水は、領域Ｐ２を通過する水より流速が速くなり、領域Ｐ１と領域Ｐ２との間の流速差が大きくなる。そのため、領域Ｐ１から吐出流路８１に流入した水は、領域Ｐ２から吐出流路８１に流入した水に邪魔されて吐出口８２側に流れることができず、奥面８１４に沿って流路幅方向に逃げるように流れる。そして、奥面８１４側に逃げた水は、一対の内側面８１１，８１１にぶつかった後、一対の内側面８１１，８１１に沿って吐出口８２に向かって流れる。一対の内側面８１１に沿って流れる水の流速が、流路幅方向の中央部を流れる水の流速より速いため、給水口８０１から流出した水は、ほぼ同じ頃に吐出口８２に到達して吐出される。よって、実施例では、給水口８０１から吐出流路８１に流出した水が吐出流路８１全体に均一に広がるように流れ、吐出口８２から膜状に吐出されると考えられる。
【００３９】
これに対して、図７に示す比較例１は、給水口８０１ｘの閉鎖領域が実施例の給水口８０１の閉鎖領域より小さく、実施例と比べ、給水口８０１ｘにおける水の絞り量が小さい。しかも、給水口８０１ｘの開口面積は、実施例の給水口８０１の開口面積より広い。そのため、給水口８０１ｘの吐出口８２と反対側（奥面８１４ｘ側）の領域Ｐ１ｘと、給水口８０１ｘの吐出口８２側の領域Ｐ２との間の流速差が小さくなる。流速差が小さいため、領域Ｐ１ｘから流出した水は、奥面８１４ｘに対して流路幅方向（図中左右方向）に十分に広がって流れず、一対の内側面８１１，８１１に到達する前に吐出口８２から吐出されてしまう。つまり、比較例１は、吐出口８２の中央付近の狭い範囲で水を吐出する。また、比較例１は、吐出流路８１ｘの流路幅方向の流量が不均一であるため、水が、吐出口８２の流路幅方向に分断されて吐出される。よって、比較例１は、吐出口８２全体から水を膜形状に吐出することができない。
【００４０】
一方、図８に示す比較例２は、給水口８０１ｙの閉鎖領域が実施例の給水口８０１の閉鎖領域より広く、実施例と比べ、給水口８０１ｘにおける水の絞り量が大きい。一方、給水口８０１ｙの開口面積は、実施例の給水口８０１の開口面積より小さい。そのため、水は、給水口８０１ｙの吐出口８２と反対側（奥面８１４ｙ側）の領域Ｐ１ｙと、給水口８０１ｙの吐出口８２側の領域Ｐ２との間の流速差が小さくなる。流速差が小さいため、比較例２は、比較例１と同様、給水口８０１ｙから流入した水が吐出流路８１ｙに均一に広がって流れず、しかも、吐出流路８１ｙ全体に水が均等な流量で流れないため、吐出口８２全体から水を膜形状に吐出することができない。
【００４１】
次に、発明者は、流路上面８１２の傾斜角度を変えて試験を行った。図９は、実施例の流体の流れを説明する概念図である。図１０は、比較例３の流体の流れを説明する概念図である。図１１は、比較例４の流体の流れを説明する概念図である。図９〜図１１に記載する矢印は、流体の流れを示す。尚、図９〜図１１の流路上面８１２，８１２ｘｘ，８１２ｙｙは、傾斜角度の違いや流体の流れを見やすく記載するために、実際の傾斜角度と異なっている。
【００４２】
実施例と比較例３と比較例４と比較例５は、吐出口８２，８２ｘｘ，８２ｙｙ側の間隔Ｍ２，Ｍ３，Ｍ４（吐出口８２，８２ｘｘ，８２ｙｙの図中上下方向の縦幅）を除き、同様に構成されている。図９〜図１１に示す実施例と比較例４と比較例５の吐出流路８１，８１ｘｘ，８１ｙｙは、いずれも、給水口８０１側（奥面８１４側）の間隔Ｍ１が１ｍｍで同じである。これに対して、図９に示す実施例の吐出流路８１は、本形態の肩湯ノズル８に対応しており、吐出口８２側の間隔Ｍ２（吐出口８２の縦幅）Ｍ２が５ｍｍになるように、流路上面８１２が奥面８１４を基点に傾斜している。つまり、間隔Ｍ２は間隔Ｍ１の５倍である。図１０に示す比較例３の吐出流路８１ｘｘは、吐出口８２ｘｘ側の間隔Ｍ３（吐出口８２ｘｘの縦幅）を１３ｍｍにするように、流路上面８１２ｘｘが奥面８１４を基点に傾斜している。つまり、間隔Ｍ３は間隔Ｍ１の１０倍より大きい。図１１に示す比較例４は、吐出口８２ｙｙ側の間隔Ｍ４（吐出口８２ｙｙの縦幅）を３ｍｍにするように、流路上面８１２ｙｙが奥面８１４を基点に傾斜している。つまり、間隔Ｍ４は間隔Ｍ１の５倍未満である。
【００４３】
試験では、実施例と比較例３と比較例４に水を同流量で供給し、吐出口８２，８２ｘｘ，８２ｙｙから吐出される水の形状をそれぞれ確認した。その結果、実施例は、吐出口８２全体から水を膜形状に吐出できたが、比較例３及び比較例４は、吐出口８２ｘｘ，８２ｙｙ全体から水を膜形状に吐出することができなかった。発明者が流路上面８１２の角度を色々変えて試験を重ねた結果、水の供給量が８Ｌ／分以上１２Ｌ／分以下であって、給水口８０１を半分閉鎖した場合、吐出流路８１は、吐出口８２側の間隔Ｍ２を給水口８０１側の間隔Ｍ１の５倍以上１０倍以下にすると、吐出口８２から水をきれいな膜形状に吐出できることが分かった。
【００４４】
この原因を発明者は次のように考えた。図９に示す実施例は、給水口８０１が吐出口８２と反対側の半分を閉鎖部８１５により閉鎖されているため、水が、給水流路８０から吐出口８２側の斜め上方に向かって流出する。水は、扇状に広がるようにして流路上面８１２に向かって噴出される。水は、跳ね返されない程度の力で流路上面８１２に当たって流路上面８１２にぬれるように広がり、流出時の勢いをあまり損なわれずに流路上面８１２に沿って流れる。そして、水は、自重で流路上面８１２から落下する前に吐出口８２に到達し、吐出口８２の上端部８２１から前方に向かって膜形状に吐出される。よって、実施例では、水が吐出口８２の下端部８２２から殆ど垂れずに、上端部８２１から膜形状に吐出される。
【００４５】
これに対して、図１０に示す比較例３は、流路上面８１２ｘｘの傾斜角度が実施例より大きいため、水は、流路上面８１２ｘｘに当たらずに吐出口８２ｘｘに到達してしまう。水が流路上面８１２ｘｘに当たったとしても、衝突時の力が実施例より弱い。そのため、流路上面８１２ｘｘに当たった水は、流路上面８１２ｘｘをぬらすように上手く広がらず、奥面８１４側に流れ落ちたり、自重で滴下したりする。よって、比較例３では、水が、吐出口８２の中央付近から粒状に吐出されたり、吐出口８２の下端部８２２から筋状に吐出されたりして、吐出口８２から膜形状の水を吐出できない。
【００４６】
一方、図１１に示す比較例４は、流路上面８１２ｙｙの傾斜角度が実施例より小さいため、水が流路上面８１２ｙｙに当たる力が実施例より強い。しかも、水は、流路上面８１２ｙｙに局所的に当たる。そのため、比較例４では、水が、流路上面８１２ｙｙに当たって強く跳ね返された後、吐出流路８１ｙｙの流路幅方向の中央付近を吐出口８２ｙｙに向かって勢いよく流れる。水は、吐出流路８１ｙｙの中央付近に多く流れる。よって、比較例４では、水が、吐出口８２ｙｙの流路幅中央付近から前方に向かって太い筋状に勢い良く吐出され、吐出口８２ｙｙから膜形状の水を吐出できない。
【００４７】
続いて、肩湯システム１の動作について説明する。ユーザが、ふろリモコン１６から肩湯モードを選択すると、制御手段１８は、三方弁７の第１ポート７ａと第３ポート７ｃを連通させ、ポンプ２０を駆動する。浴槽２の風呂水Ｘは、ポンプ２０のポンプ動作により、肩湯ノズル８に送り込まれる。
【００４８】
風呂水Ｘは、肩湯ノズル８の給水流路８０から給水口８０１を介して吐出流路８１に流出する。給水口８０１の開口面積は、閉鎖部８１５により給水流路８０の流路断面積の半分にされている。そのため、風呂水Ｘは、給水口８０１で流路を絞られ、給水流路８０を流れるときよりも流速を高められてから、吐出流路８１に流れ込む。また、給水口８０１が吐出口８２側に凸状に湾曲する半月形状をなすため、風呂水Ｘは、給水口８０１から流路上面８１２に向かって扇状に広く分散して噴出する。更に、風呂水Ｘは、給水口８０１の奥面８１４側の領域から噴出されたものの方が、給水口８０１の吐出口８２側の領域から噴出されたものより、流速が速いため、風呂水Ｘは、給水口８０１の奥面８１４側の領域から噴出されたものが流路幅方向に流れ、給水口８０１の吐出口８２側の領域から噴出されたものが流路幅中央付近を流れる。よって、風呂水Ｘは、吐出流路８１の流路幅方向に均一に分散し、流量が均一化される。
【００４９】
風呂水Ｘは、流路上面８１２に当たったときに流路上面８１２をぬらすように広がり、流路上面８１２に沿って流れる。そのため、風呂水Ｘは、流路上面８１２を均一な厚さの膜で覆うように流れ、吐出口８２の上端部８２１から膜形状で吐出される。よって、肩湯ノズル８は、浴槽２にいるユーザの首筋や肩の広い領域に、膜形状の肩湯Ｙを当てることができる。
【００５０】
以上説明したように、本形態は、水を供給する給水流路８０と、水を膜形状に吐出する吐出口８２と、給水流路８０と吐出口８２に接続する吐出流路８１とを備え、吐出流路８１の流路幅Ｗが給水流路８０側から吐出口８２側に近づくにつれて広げられている肩湯ノズル８において、給水流路８０が吐出流路８１に開口する給水口８０１の一部を閉鎖する閉鎖部８１５を有することを特徴とする。
【００５１】
上記構成の肩湯ノズル８では、給水流路８０の水（風呂水Ｘ）が給水口８０１を通過する際に流量を絞られて流速を高められる。このように水の流速を吐出流路８１に流入する直前で高めるので、給水流路８０に供給された風呂水Ｘが少ない場合でも、風呂水Ｘが、吐出流路８１に流入する際の勢いで吐出流路８１全体に広がりながら吐出口８２へ向かって流れ易く、吐出口８２から膜形状に吐出されるようになる。よって、上記構成の肩湯ノズルによれば、風呂水Ｘの供給量が少なくても、吐出口８２から膜形状の水（肩湯Ｙ）を吐出することができる。
【００５２】
また、本形態の肩湯ノズル８において、閉鎖部８１５は、給水口８０１の吐出口８２と反対側に位置する部分を閉鎖し、給水口８０１の開口面積を給水流路８０の流路断面積の半分にしていること、を特徴とする。
【００５３】
上記構成の肩湯ノズル８は、給水口８０１の閉鎖部８１５側の領域Ｐ１における流速が、給水口８０１の吐出口８２側の領域Ｐ２における流速より速く、給水口８０１の閉鎖部８１５側の領域Ｐ１と給水口８０１の吐出口８２側の領域Ｐ２との間の流速差が大きいので、給水口８０１から供給される水（風呂水Ｘ）が吐出流路８１全体に均一に広がって流れ、吐出口８２から膜形状に吐出される。よって、本形態の肩湯ノズル８によれば、水（風呂水Ｘ）の供給量が少なくても、吐出口８２から膜形状の水（肩湯Ｙ）を吐出することができる。
【００５４】
また、本形態の肩湯ノズル８において、閉鎖部８１５は、給水口８０１の吐出口８２と反対側に位置する部分を閉鎖していること、吐出流路８１は、給水口８０１と対向するように流路上面８１２が設けられており、給水口８０１の開口面を通る仮想線Ｌ１に対して流路上面８１２が傾斜することにより、仮想線Ｌ１と流路上面８１２との間の間隔が給水口８０１側から吐出口８２側へ向かって大きくなっていること、を特徴とする。
【００５５】
上記構成の肩湯ノズル８は、水（風呂水Ｘ）が、給水口８０１から斜め上方に向かって吐出流路８１内に流出し、流路上面８１２に当たる。吐出流路８１は、給水口８０１の開口面を通る仮想線Ｌ１と流路上面８１２との間の間隔が給水口８０１側から吐出口８２側へ向かって大きくなっているので、流路上面８１２に当たった水（風呂水Ｘ）が、給水口８０１から流出したときの勢いを保って流路上面８１２に沿って流れ、吐出口８２の流路上面８１２に接続する上端部８２１から膜形状に吐出される。このように、本形態の肩湯ノズル８は、流路上面８１２に当たった水（風呂水Ｘ）が、殆ど垂れることなく吐出口８２に到達して吐出口８２から吐出されるので、水の供給量が少なくても、吐出口８２から膜形状の水（肩湯Ｙ）を吐出できる。
【００５６】
また、本形態の肩湯ノズル８において、仮想線Ｌ１と流路上面８１２の吐出口８２側の間隔Ｍ２が、仮想線Ｌ１と流路上面８１２の給水口８０１側の間隔Ｍ１に対して、５倍以上１０倍以下であること、を特徴とする。
【００５７】
上記構成の肩湯ノズル８は、仮想線Ｌ１と流路上面８１２の吐出口８２側の間隔Ｍ２を、仮想線Ｌ１と流路上面８１２の給水口８０１側の間隔Ｍ１に対して５倍以上１０倍以下で設定することにより、給水口８０１から吐出された水（風呂水Ｘ）が流路上面８１２に当たってぬれるように広がった後、吐出口８２に向かって流れる。よって、本形態の肩湯ノズル８によれば、水（風呂水Ｘ）の供給量が少なくても、吐出口８２から膜形状の水（肩湯Ｙ）を吐出することができる。
【００５８】
更に、本形態の肩湯システム１は、上記何れかの構成を有する肩湯ノズル８と、浴槽２の風呂水Ｘを循環させる循環回路１９と、循環回路１９に配設されたポンプ２０と、ポンプ２０と浴槽２とを接続する第１状態と、ポンプ２０と肩湯ノズル８とを接続する第２状態とを切り換える三方弁７と、三方弁７を制御する制御手段１８とを有すること、を特徴とする。
【００５９】
上記構成の肩湯システム１は、制御手段１８が三方弁７を第１状態にした場合には、ポンプ２０の動作により、浴槽２の風呂水Ｘが循環回路１９を循環する。一方、制御手段１８が三方弁７を第２状態にした場合には、ポンプ２０の動作により、浴槽２の風呂水Ｘが肩湯ノズル８から膜形状に吐出される。ポンプ２０の吐出流量が、例えば８Ｌ／分以上１６Ｌ／分以下と少ない場合でも、肩湯ノズル８は、膜形状の肩湯Ｙを吐出することができる。よって、本形態の肩湯システム１は、既存のポンプ２０を利用して浴槽２の風呂水Ｘを肩湯ノズル８に供給し、肩湯ノズル８から膜形状の肩湯Ｙを吐出することができるので、既存のポンプ２０と別に専用ポンプを設置する必要がなく、安価に肩湯システム１を提供することができる。
【００６０】
尚、本発明は、上記実施形態に限定されることなく、色々な応用が可能である。
【００６１】
（１）例えば、上記実施形態では、給水口８０１を半月形状にしたが、給水口８０１の開口面積を給水流路８０の流路断面積の半分にできるのであれば、給水口８０１を三日月形状や三角形状などの他の形状にしても良い。
【００６２】
（２）例えば、吐出口８２から膜形状の水（肩湯Ｙ）を吐出できるのであれば、流路上面８１２を傾斜させず、流路下面８１３と平行にしても良い。
【００６３】
（３）例えば、上記実施形態では、給湯器４内のポンプ２０を肩湯ノズル８に接続したが、給湯器４の外部に設けられたポンプや、追焚ポンプなどに肩湯ノズル８を接続しても良い。
【００６４】
（４）例えば、上記実施形態では、一対の内側面８１１，８１１を直線状に設けたが、図１２に示す第１変形例の肩湯ノズル８Ａのように、一対の内側面８１１Ａ，８１１Ａを円弧状にしても良い。この場合、給水口８０１から吐出流路８１Ａに流出した水が内側面８１１Ａ，８１１Ａ付近を円弧を描くように流れ、吐出流路８１Ａ内により均一に広がりやすくなる。
【００６５】
（５）例えば、上記実施形態では、水が流路上面８１２に沿って流れるので、図１３に示す第２変形例の肩湯ノズル８Ｂのように、上記形態で説明した流路下面８１３を省き、吐出流路８１Ｂが肩湯ノズル８Ｂの前側と下側に開放されていても良い。
【００６６】
（６）例えば、上記実施形態では、流路上面８１２を平坦に設けたが、図１４に示す第３変形例の肩湯ノズル８Ｃのように、吐出流路８１Ｃの流路上面８１２Ｃを上方に湾曲する円弧面としても良い。
【００６７】
（７）例えば、上記実施形態では、肩湯ノズル８の形状を長方形状若しくは薄い直方体形状とした。これに対して、肩湯ノズル８の形状は、給水流路８０と吐出流路８１の形に合わせた形状など、長方形状若しくは薄い直方体形状以外の形状であっても良い。
【符号の説明】
【００６８】
１      肩湯システム
２      浴槽
７      三方弁
８      肩湯ノズル
１８    制御手段
１９    循環回路
２０    ポンプ
８０    給水流路
８１    吐出流路
８２    吐出口
８０１  給水口
８１２  流路上面
８１５  閉鎖部
Ｍ１    間隔
Ｍ２    間隔
Ｌ１    仮想線
Ｗ      流路幅
【図１】
2019111265.tif 000003
【図２】
2019111265.tif 000004
【図３】
2019111265.tif 000005
【図４】
2019111265.tif 000006
【図５】
2019111265.tif 000007
【図６】
2019111265.tif 000008
【図７】
2019111265.tif 000009
【図８】
2019111265.tif 000010
【図９】
2019111265.tif 000011
【図１０】
2019111265.tif 000012
【図１１】
2019111265.tif 000013
【図１２】
2019111265.tif 000014
【図１３】
2019111265.tif 000015
【図１４】
2019111265.tif 000016